(57)【要約】  本発明は、自給自足であり、かつ、持続可能である方法で自然に豊富にある資源から電気を生産する自給自足である発電機を用いて、再生可能であり、携帯可能であり、かつ、持続可能であるエネルギーを生成する。本発明は、エネルギー生成方法、装置またはシステムが、環境生態系または人の健康にいかなる有害な影響も引き起こさないこと；生成されたエネルギーが携帯可能であり、電気が、送電および配電を必要とすることなく、遠く離れた家もしくは孤立した領域における製造工場または任意の携帯デバイスにパワーを与え得るようになっていること；ならびに、エネルギー生成が、いかなる外部資源も必要とすることなく、何年も持続可能であることを確実にする。【選択図】図１
2021508430.tif 000002
【特許請求の範囲】
【請求項１】
自律発電機であって：
固定子を有し、該固定子は、電気を生成するための発電機コイルと、電磁力を生成するためのモーターコイルとを含んでおり；
１次ローターを有し、該１次ローターは、第１の永久磁石を含んでおり；かつ、
２次ローターを有し、該２次ローターは、第２の永久磁石を含んでおり、
前記１次ローターおよび２次ローターが、前記モーターコイルによって生成された前記電磁力によって回転する、
前記自律発電機。
【請求項２】
前記発電機コイルによって生成された電気を提供するキャパシターをさらに有する、請求項１に記載の自律発電機。
【請求項３】
前記１次ローターおよび前記２次ローターが、前記永久磁石によって生成された磁力線を遮蔽するための磁気遮蔽物を含んでいる、請求項１に記載の自律発電機。
【請求項４】
前記磁気遮蔽物が鉄板である、請求項３に記載の自律発電機。
【請求項５】
前記２次ローターの前記磁気遮蔽物と前記１次ローターの前記磁気遮蔽物とが、磁界の遮蔽された空間を作り出し、前記磁気遮蔽物の間に凝縮した磁力線を作り出す、請求項３に記載の自律発電機。
【請求項６】
前記モーターコイルが、永久磁石に含まれている同位体の内在的角運動量の内在的量子特性と調和する振動周波数を生成する、請求項１に記載の自律発電機。
【請求項７】
前記発電機コイルにより生成された電気エネルギーを貯蔵し、かつ、前記の生成された電気エネルギーを調節するための再充電可能であるバッテリーをさらに有する、請求項１に記載の自律発電機。
【発明の詳細な説明】
【技術分野】
【０００１】
本発明は概して、核融合、太陽光、風、雨、潮、波および地熱ならびに伝統的な水力電気および化石燃料火力発電のようなものからの電気エネルギーの生成のためのアプローチ、物品、方法、モデル、デザイン、装置ならびにシステムに関する。
【背景技術】
【０００２】
我々の日常生活は、電気（ｅｌｅｃｔｒｉｃｉｔｙ）に大いに依存している。あらゆる計画されていない停電が、壊滅的な結果をもたらし、しばしば、生死に関わる状況をもたらす。
【０００３】
いかなる状況下のいかなる時間におけるいかなる中断も伴わない信頼できる電気の継続的な供給が、人類文明にとって必須かつ重要である。そしてまだ、持続可能である方法でこの要件を満たすには、多くの困難が存在する。
【０００４】
従来の発電方法は、上昇する費用および減少する資源に起因して持続可能ではない。
【０００５】
現行の化石燃焼発電機は環境を汚染し、したがって、人の健康にとって危険である。
【０００６】
原子力発電所は空気を汚染しないかも知れないが、誤操作または事故と関連するリスクが非常に高く、かつ、環境への影響は、壊滅的であるのみならず、非常に長期間（すなわち、数百年）継続する。
【０００７】
電気の生成と関連する困難に加えて、電気の分配は、高価であるのみならず、環境変動要因および気象条件への依存に起因して信頼できるものではない。
【０００８】
知識基板経済を伴うこの情報時代においては、新たな需要および要件が存在する。ＩＯＴ（インターネット  オブ  シングス）のような携帯デバイスならびに特殊用途のロボットおよびドローンを伴うサイバー物理システムは、電源コードまたは送電線を必要としない、携帯可能であるエネルギー源を必要とする。
【０００９】
それら新たな要件に対処する携帯可能であるエネルギー源として、バッテリーが用いられる。しかしながら、バッテリーは、かさばりかつ重く、また、再充電されなければならない。
【００１０】
本発明は、クリーン（環境生態系に影響を与えず、人の健康にとって危険でもない）であり、かつ、持続可能である方法で、再生可能であり、かつ、携帯可能であるエネルギーを生成するための新規な方法およびシステムを提供することによって、それら困難、短所、リスクおよび新たな要件に対処する。
【発明の概要】
【発明が解決しようとする課題】
【００１１】
発明の開示
技術的問題
本発明の主たる目的は、自給自足であり、かつ、持続可能である方法で、自然に豊富にある資源から電気を生成する自律（ａｕｔｏｎｏｍｏｕｓ）発電機を用いて、再生可能であり、携帯可能であり、かつ、持続可能であるエネルギーを生成することである。
【００１２】
さらなる目的は、エネルギー生成方法、装置またはシステムが、いかなる方法でも環境生態系にいかなる有害な影響も引き起こさないことを確実にすることである。
【００１３】
別の目的は、携帯可能であるエネルギーを生成することであり、生成された電気が、送電および配電を必要とすることなく、遠く離れた家もしくは孤立した領域における製造工場または任意の携帯デバイスにパワー（ｐｏｗｅｒ；電力）を与え得るようになっている。
【００１４】
その他の目的は、エネルギー生成方法が、いかなる外部資源も必要とすることなく、何年も持続可能であることを確実にすることである。
【００１５】
本発明は、一組の発電機であって、生成された電気の一部によってパワーを与えられる、一組の対応する電気モーターと組になった前記の一組の発電機から電気を生成するアプローチ、方法、モデル、デザインおよびシステムを導入する。
【００１６】
本発明では、新たに生成された電気の一部が、ループバック機構を通して一組の電気キャパシターを充電するのに用いられ、電気モーターがキャパシターに貯蔵された電気によってパワーを与えられ続けるようになっている。このようにして、発電機は、一旦始動すると、いかなる外部資源も必要とすることなく、自律的に動き続ける。
【００１７】
本発明は、鉄板の遮蔽物の間の電磁力を捕捉し、結果的に電磁エネルギーの圧上昇およびパルス化を誘導することによって電気を増幅させるアプローチ、方法、モデル、デザインおよびシステムを導入する。
【００１８】
本発明では、伝導体（例えば、銅板）の片面における磁力線は、該伝導体を取り囲む磁力線とは反対方向に走っている。結果的に、磁力線は、該磁力線が電気伝導体の他面の上を通過してもよいように偏向する。これはなぜなら、磁力線が交差し得ず、または、互いに対して反対に走り得ないからである。
【課題を解決するための手段】
【００１９】
本発明は、自給自足であり、かつ、持続可能である方法で、自然に豊富にある資源から電気を生産する自給自足である発電機を用いて、再生可能であり、携帯可能であり、かつ、持続可能であるエネルギーを生成する。本発明は、エネルギー生成方法、装置またはシステムが、環境生態系または人の健康に対していかなる有害な影響も引き起こさないこと；生成されたエネルギーが携帯可能であり、電気が、送電および配電を必要とすることなく、遠く離れた家もしくは孤立した領域における製造工場または任意の携帯デバイスにパワーを与えるのに用いられ得るようになっていること；ならびに、エネルギー生成がいかなる外部資源も必要とすることなく何年も持続可能であることを確実にする。
【００２０】
本発明は、一組の発電機および一組の対応する電気モーターを統合するアプローチ、方法、モデル、デザインおよびシステムを導入し、新たに生成された電気の一部が、ループバック機構を通して電気モーターにパワーを与えるのに用いられる。
【００２１】
本発明は、鉄板の遮蔽物の間の電磁力を捕捉し、結果的に磁力線の圧上昇およびパルス化を誘導することによって生成された電気を増幅させるアプローチ、方法、モデル、デザインおよびシステムを導入する。
【００２２】
本発明はまた、奇数個の中性子および／または陽子を含有する同位体の角運動量の内在的量子特性と調和する振動周波数を適用することによって中性子および陽子の量子運動量の歳差運動を通して生成された電気エネルギーをさらに増幅させるアプローチ、方法、モデル、デザインおよびシステムを導入する。この方法およびシステムは、核（ｎｕｃｌｅｉ）を強力な磁界に配置すること、および、核のものと共振する振動周波数を適用することによって、磁性核（ｍａｇｎｅｔｉｃ  ｎｕｃｌｅｉ）が振動エネルギーを吸収することを可能にする。結果的に、強力な摂動した磁界が、銅板において大きい電流を生産する。
【００２３】
本発明は、生成された電気を調節し、かつ、長期間（すなわち、数年）自給自足であり、かつ、持続可能である方法で生成された電気の品質を保証するために、一組の再充電可能であるバッテリーを用いる。
【発明の効果】
【００２４】
発明の有利な効果
本発明は、一組の発電機および一組の対応する電気モーターを統合するアプローチ、方法、モデル、デザインおよびシステムを導入し、新たに生成された電気の一部が、ループバック機構を通して電気モーターにパワーを与えるのに用いられる。
【００２５】
本発明は、鉄板の遮蔽物の間の電磁力を捕捉し、結果的に磁力線の圧上昇およびパルス化を誘導することによって生成された電気を増幅させるアプローチ、方法、モデル、デザインおよびシステムを導入する。
【００２６】
本発明はまた、奇数個の中性子および／または陽子を含有する同位体の角運動量の内在的量子特性と調和する振動周波数を適用することによって中性子および陽子の量子運動量の歳差運動を通して生成された電気エネルギーをさらに増幅させるアプローチ、方法、モデル、デザインおよびシステムを導入する。この方法およびシステムは、核を強力な磁界に配置すること、および、核のものと共振する振動周波数を適用することによって、磁性核が振動エネルギーを吸収することを可能にする。結果的に、強力な摂動した磁界が、銅板において大きい電流を生成する。
【００２７】
本発明は、生成された電気を調節し、かつ、長期間（すなわち、数年）自給自足であり、かつ、持続可能である方法で生成された電気の品質を保証するために、一組の再充電可能であるバッテリーを用いる。
【図面の簡単な説明】
【００２８】
【図１】図１は、本発明の開示の１つの実施形態における主要部品、それらの機能特性およびそれらの関係を描いた図である。
【図２】図２は、本発明の開示の１つの実施形態における、装置およびシステムの水平スライスを示し、かつ、装置およびシステムの平面図を描いた図である。
【図３】図３は、本発明の開示の１つの実施形態における装置およびシステムの、種々の数のコア（例えば、６個のコア、９個のコアおよび１２個のコア）を有する実装の変形の側面図を描いた図である。
【図４】図４は、本発明の開示の１つの実施形態における装置およびシステムの、９個のコアを有する実装の変形の３次元図を描いた図である。
【発明を実施するための形態】
【００２９】
発明の形態
以下では、本発明の実施形態が、当業者が本発明を容易に実現することを可能にするために、添付の図面を参照してより詳細に説明されるであろう。本発明は、異なる形態で実現されてもよく、かつ、本明細書に記載の実施形態に限定されない。さらに、周知の機能または構成に関連する詳細な説明は、本発明の主題を不必要に曖昧にしないために、除外されるであろう。同様の参照数字は、全体を通して同様の要素に言及する。
【００３０】
さらに、ある部分がいくつかの部品を「含んでいる」時、このことは、該部分が、特に言及がなければその他の部品を排除せず、かつ、その他の部品をさらに含んでいることを意味する。
【００３１】
本発明の好ましい実施形態がここで詳細に参照されるであろうし、その例は添付の図面に示されている。添付の図面を参照して以下で与えられるであろう詳細な説明は、本発明にしたがって実装され得る最良の実施形態を示すのではなく、本発明の例示的な実施形態を説明することを意図する。以下の詳細な説明は、本発明の完全な理解を提供するために、具体的な詳細を含んでいる。しかしながら、本発明がかかる具体的な詳細を伴うことなく実行されてもよいことは、当業者には明らかであろう。
【００３２】
本発明において用いられるほとんどの用語が本技術分野において広く用いられる一般的なものから選択されているが、いくつかの用語は、出願人によって恣意的に選択されており、かつ、それらの意味は、必要に応じて以下の説明で詳細に説明される。したがって、本発明は、それらの単純な名称または意味ではなく、用語の意図した意味に基づいて理解されるべきである。
【００３３】
関連先行文献についての繰り返しの調査を通して、本発明の発明者らは、非常に少数の磁気発電機に関連する物品およびシステムを見出した。種々の新聞記事および映像クリップについても同様である。
【００３４】
本発明は、装置またはシステム内で一連の発電機を一連の対応する電気モーターと統合し、ループバック機構を介して生成された電気の一部で電気モーターにパワーを与えることによって、持続可能である方法で、いかなる外部資源も必要とすることなく、再生可能であり、かつ、携帯可能であるエネルギーを生成する。
【００３５】
この場合、電気モーターは、キャパシターからの電気によって始動し、発電機によって電気を生産するのに用いられる運動エネルギーを作り出す。新たに生成された電気の一部が、ループバックシステムを通して電気キャパシターを充電するのに用いられる；電気モーターは、その後、キャパシターに貯蔵された電気によってパワーを与えられ続け、発電機が、一旦始動すると、いかなる外部資源も必要とすることなく、自律的に動き続けてもよいようになっている。
【００３６】
本発明は、コンパクトに遮蔽された空間内で磁力線を凝縮し、電磁圧上昇（ｍａｇｎｅｔｉｃ  ｈｙｐｅｒｔｅｎｓｉｏｎ）およびパルス化を引き起こすことによって；および、核の内在的周波数と調和する振動周波数との核磁気共振を作り出し、したがって、量子核運動量の歳差運動を可能にすることによって、生成された電気エネルギーを増幅させる。
【００３７】
本発明に基づいて実装された自律発電機が、概念的なレベルで図１に描かれている。
【００３８】
本発明の実施形態による自律発電機は、１次磁気ローター１１０と、２次磁気ローター１３０ａおよび１３０ｂと、固定子１２０ａおよび１２０ｂと、一組の電気キャパシター１５０と、一組の再充電可能であるバッテリー１６０とを含んでいる。１つの実施形態では、１次磁気ローター１１０と、２次磁気ローター１３０ａおよび１３０ｂと、固定子１２０ａおよび１２０ｂとは、単一のシャフトによって接続されていてもよい。
【００３９】
１次磁気ローター１１０は、永久磁石１１１ａおよび１１１ｂと、磁気遮蔽物１１５とを含んでいてもよい。２次磁気ローター１３０ａおよび１３０ｂは、永久磁石１３１ａおよび１３１ｂと、磁気遮蔽物１３２ａおよび１３２ｂとを含んでいてもよい。
【００４０】
固定子１２０ａおよび１２０ｂは、モーターコイル１２１ａおよび１２１ｂと、発電機コイル１２２ａおよび１２２ｂと、伝導体１２５ａおよび１２５ｂと、固定子取付部１２７ａおよび１２７ｂとを含んでいてもよい。固定子１２０ａおよび１２０ｂはさらに、モーターコイル１２１ａおよび１２１ｂと発電機コイル１２２ａおよび１２２ｂの間の関心の分離から電磁力線を遮蔽するための遮蔽物ユニットを含んでいる。
【００４１】
図１に描かれているように、自律発電機１００は、ネオジム（Ｎｄ２Ｆｅ１４Ｂ）の合金に基づく一組の永久磁石（１１１ａ，１１１ｂ，１３１ａ，１３１ｂ）と、磁気遮蔽物を提供する一組の鉄板（１１５，１３２ａ，１３２ｂ）とを有する。永久磁石および対応する鉄板は、電気の誘導のための１次磁気ローター１１０および２次ローター（１１０，１３０ａ，１３０ｂ）として用いられる。
【００４２】
１次磁気ローター１１１ａおよび１１１ｂは、モーターコイル１２１ａおよび１２１ｂによって作り出されたＳ極性電磁力によって回転する。
【００４３】
２次磁気ローター１３０ａおよび１３０ｂは、モーターコイル１２１ａおよび１２１ｂによって作り出されたＮ極性電磁力によって回転する。
【００４４】
磁気ローター（１１０，１３０ａ，１３０ｂ）は、発電機コイル１２２ａおよび１２２ｂによって生成された電気の一部で一組のキャパシター１５０によってパワーを与えられたモーターコイル１２１ａおよび１２１ｂによって作り出された磁力によって回転する。
【００４５】
ここでは、磁気ローターの初期の回転は、再充電可能であるバッテリー１６０から供給されたパワーによって実行され得る。モーターコイル１２１ａおよび１２１ｂのための電流が磁気ローターの回転によって生成されるので、磁気ローターが回転していない時には、パワー源が初期の回転において必要とされる。再充電可能であるバッテリー１６０は、始動時においてはパワー源として役立つ。
【００４６】
したがって、再充電可能であるバッテリー１６０がモーターコイル１２１ａおよび１２１ｂに電気を提供する時、磁気ローターは、モーターコイルにより生成された磁界によって回転する。磁気ローターが作動し始める時、電気が生成コイル１２２ａおよび１２２ｂにおいて生成され、かつ、生成された電気はキャパシターを通してモーターコイル１２１ａおよび１２１ｂへと伝えられ、磁気ローター１１５、１３０ａおよび１３０ｂを回転させるための磁界を生成する。
【００４７】
キャパシター１５０は、発電コイルによって生成されたパワーを貯蔵および再放出し、発電機全体の安定的な作動を保証する。
【００４８】
再充電可能であるバッテリー１６０は、発電コイルにおいて生成されたパワーを貯蔵し、かつ、それを外部システムへと出力する。バッテリー１６０は緩衝物として役立ってもよく、パワーが安定的に出力され得るようになっている。
【００４９】
２次ローター１３２ａおよび１３２ｂの鉄板と１次ローター１１５の鉄板とは、磁界の２つのコンパクトに遮蔽された空間を作り出し、磁気遮蔽物の間（１３２ａと１１５との間；１１５と１３２ｂとの間）に凝縮した磁力線を作り出す。
【００５０】
外部の磁界が、コンパクトに遮蔽された空間（１３２ａと１１５との間、および、１１５と１３２ｂとの間）内の永久磁石によって作り出された現在の磁界に対して水平に、モーターコイルを用いて適用され、結果的に、２つの磁界は互いに相互作用して理想的な磁力線を形成する。
【００５１】
電気伝導体における磁力線は、電気伝導体（現在の実装における銅板、１２５ａおよび１２５ｂ）の周りに同心円を形成し、外部に適用された磁界における磁力線が平行に走ってもよいようになっている。
【００５２】
伝導体（現在の実装における銅板、１２５ａおよび１２５ｂ）の片面の磁力線が伝導体を取り囲む磁力線とは反対方向に走っているので、それらは、磁力線が電気伝導体の他面の上を通過してもよいように偏向する。これはなぜなら、磁力線が交差し得ず、または、互いに対して反対に走り得ないからである。
【００５３】
磁界のコンパクトに遮蔽された空間は、電磁圧上昇およびパルス化を引き起こし、結果的に、発電機コイル１２２ａおよび１２２ｂならびに電気伝導体（すなわち、銅板１２５ａおよび１２５ｂ）のための増幅された電気エネルギーの誘導用の電磁力を押し上げる。
【００５４】
結果的に、多数の磁力線が電気伝導体の間の小さい空間で捕捉される。この磁界は今やほぼ抵抗を受けず、したがって、一方向でのその構築または排除は、増幅された電磁力を作り出す。この場合、生成された電気の増幅率は、ｍが磁力の強度、電気伝導体の伝導率および伝導体の表面に依存するオーダーであろう。
【００５５】
平坦に研磨された玉軸受が、固定子（１２０ａ，１２０ｂ）の回転軸に用いられ、回転によって引き起こされる摩擦を最小化し、また、コンパクトに遮蔽された空間（１３２ａと１１５との間、および、１３２ｂと１１５との間）内の捕捉された磁力によって引き起こされる追加の運動力も最小化する。玉軸受（図示せず）は、ローターと回転シャフトとの間に提供されてもよい。
【００５６】
同位体（例えば、５７Ｆｅ，１１Ｂ，１Ｈ）の核子（すなわち、中性子および陽子）は、量子物理学にしたがう内在的な角運動量の内在的量子特性を有する。奇数個の陽子および／または中性子を含有するすべての同位体が、内在的な核磁気モーメントと角運動量とを有する。
【００５７】
強力な静磁界における核は、振動する磁界によって摂動し、かつ、摂動した磁界は、核における磁界の周波数特徴を有する電磁信号を生産することによって反応する。
【００５８】
磁性核は、磁界に配置された時に振動エネルギーを吸収し、かつ、振動周波数は核のものと共振する。結果的に、強力な摂動した磁界は、超伝導コイルまたは板において大きい電流を生産する。
【００５９】
量子物理学の特徴および内在的特性を利用するために、ネオジム系永久磁石（１３１ａ，１１１ａ，１１１ｂ，１３１ｂ）が、強力な磁界に鉄同位体の核（１３２ａ，１１５，１３２ｂ）を配置するのに用いられる；モーターコイル（１２１ａ，１２１ｂ）は、その後、同位体（５７Ｆｅ）の角運動量の内在的量子特性と調和する振動周波数を生成し、したがって、量子核運動量の歳差運動を可能にするのに用いられる。
【００６０】
量子核運動量の歳差運動および核磁気共振を通して、鉄同位体における低エネルギー核は、振動エネルギーを吸収し、かつ、電磁極性化にしたがってスピン軸を弾き、このことは、強力な磁界を摂動させ、かつ、伝導板（１２５ａおよび１２５ｂ）における大きい電流を生産する。この場合、生成された電気の増幅率は、１０ｎ（ｎは、磁力の強度、電気伝導体の伝導率および伝導体の表面に依存する）のオーダーであろう。
【００６１】
本発明のこの実装は、概念の図示および説明のために、１つの１次ローターと、２つの２次ローターと、関連する固定子とを有する構成を示している。多数の１次ローターおよび対応する２次ローターの組のために構成を拡張することに、構造的制限は存在しない。
【００６２】
本発明の装置およびシステムは、生成された電気を調節し、かつ、いかなる外部資源にも依存することなく、長期間（例えば、１０年）、自給自足であり、かつ、持続可能である方法で、生成された電気の品質を保証する、一組の埋め込まれた充電可能であるバッテリーを有する。
【００６３】
本発明の１つの実施形態における装置およびシステム（２００）の平面図が、図２に描かれており、構成部品の数は、図１における部品の数に対応している。例えば、図２における構成部品（２３０ａ）は、図１における２次ローター（１３０ａ）である。
【００６４】
図２における構成部品２３２ａは、図１における部品１３２ａに対応する；図２における部品２３０ａは、図１における部品１３０ａに対応する；図２における部品２３１ａは、図１における部品１３１ａに対応する；図２における部品２２０ａは、図１における部品１２０ａに対応する；図２における部品２１５は、図１における部品１１５に対応する；以降も同様に続く。
【００６５】
生成された電気をさらに増幅する本発明の実装のいくつかの変形が、図３に示されている（３００）。６個のコアを有する構成（３０６）は、６組のモーター／発振器コイル（例えば、図１における１２１ａまたは１２１ｂ）、銅板（例えば、図１における１２５ａまたは１２５ｂ）および固定子（図１における１２０ａまたは１２０ｂ）用の発電機コイル（例えば、図１における１２２ａまたは１２２ｂ）を有する。
【００６６】
９個のコアを有する構成（３０９）は、９組のモーター／発振器コイル（例えば、図１における１２１ａまたは１２１ｂ）、銅板（例えば、図１における１２５ａまたは１２５ｂ）および固定子（例えば、図１における１２０ａまたは１２０ｂ）用の発電機コイル（例えば、図１における１２２ａまたは１２２ｂ）を有する。
【００６７】
１２個のコアを有する構成（３１２）は、１２組のモーター／発振器コイル（例えば、図１における１２１ａまたは１２１ｂ）、銅板（例えば、図１における１２５ａまたは１２５ｂ）および固定子（例えば、図１における１２０ａまたは１２０ｂ）用の発電機コイル（例えば、図１における１２２ａまたは１２２ｂ）を有する。
【００６８】
１２個のコアの構成を有する装置およびシステム（４００）の３次元描写が、図４に示されており、構成部品の数は、図１における部品の数に対応している。例えば、図４における構成部品（４３０ａ）は、図１における２次ローター（１３０ａ）である。
【００６９】
図４における構成部品４３２ａは、図１における部品１３２ａに対応する；図４における部品４３０ａは、図１における部品１３０ａに対応する；図４における部品４３１ａは、図１における部品１３１ａに対応する；図４における部品４２０ａは、図１における部品１２０ａに対応する；図４における部品４１５は、図１における部品１１５に対応する；以降も同様に続く。
【００７０】
本発明は、上記の実施形態に記載された特徴、構造および効果に限定されない。さらに、各実施形態における特徴、構造および効果は、当業者によって組み合されてもよく、修正されてもよい。したがって、かかる組み合わせおよび修正に関連する内容は、本発明の範囲に含まれると解釈されるべきである。
【００７１】
本発明がその好ましい実施形態を参照して具体的に示され、かつ、説明されてきた一方で、形態および詳細における種々の変更が、添付の請求の範囲によって定められる発明の精神および範囲から逸脱することなくその中でなされてもよいことが当業者によって理解されるであろう。例えば、実施形態における各部品は、修正され、かつ、実装される。したがって、かかる修正および適用に関連する相違点は、添付の請求の範囲の範囲に含まれると解釈されるべきである。
【図１】
2021508430.tif 000003
【図２】
2021508430.tif 000004
【図３】
2021508430.tif 000005
【図４】
2021508430.tif 000006
【国際調査報告】
2021508430.tif 000007
2021508430.tif 000008